(57)【要約】【課題】二つの管列を構成する複数の扁平管に流れる冷媒の質量流量が不均一になることを抑制する。【解決手段】熱交換器（23）は、平行に並んだ複数の扁平管（31,61）によってそれぞれが構成されて空気の流れ方向に並ぶ風上管列（50）および風下管列（90）と、扁平管（31.61）に接合されたフィン（32,62）と、接続ユニット（100）とを備えている。接続ユニット（100）は、風上管列（50）を構成するｎ本の扁平管（31）の端部と風下管列（90）を構成するｎ本の扁平管（61）の端部とを一対一で連通させるｎ本の連通路を有する。【選択図】図９
2015055413.tif 000002
【特許請求の範囲】
【請求項１】
平行に並んだ複数の扁平管（31,61）によってそれぞれが構成されて空気の流れ方向に並ぶ風上管列（50）および風下管列（90）と、上記扁平管（31.61）に接合されたフィン（32,62）とを備える熱交換器であって、
上記風上管列（50）を構成するｎ本（ｎは、２以上の整数）の扁平管（31）の端部と上記風下管列（90）を構成するｎ本の扁平管（61）の端部とを一対一で連通させるｎ本の連通路を有する接続ユニット（100）を備えている
ことを特徴とする熱交換器。
【請求項２】
請求項１において、
上記接続ユニット（100）は、
上記風上管列（50）を構成する扁平管（31）の配列方向に延びる筒状に形成されて内部空間が軸方向に並んだｎ個の第１連結用空間（47）に区画され、該ｎ個の第１連結用空間（47）に該風上管列（50）を構成するｎ本の扁平管（31）の端部が一対一で連通する風上ヘッダ集合管（45）と、
上記風下管列（90）を構成する扁平管（61）の配列方向に延びる筒状に形成されて内部空間が軸方向に並んだｎ個の第２連結用空間（82）に区画され、該ｎ個の第２連結用空間（82）に該風下管列（90）を構成するｎ本の扁平管（61）の端部が一対一で連通する風下ヘッダ集合管（80）と、
上記風上ヘッダ集合管（45）内に形成されたｎ個の第１連結用空間（47）と上記風下ヘッダ集合管（80）内に形成されたｎ個の第２連結用空間（82）とを一対一で連通させるｎ本の連結管（105）とによって構成されている
ことを特徴とする熱交換器。
【請求項３】
請求項１において、
上記接続ユニット（100）は、それぞれの両端部が扁平に形成されたｎ本のＵ字管（200）によって構成され、
上記ｎ本のＵ字管（200）の各々の一端部には、上記風上管列（50）を構成するｎ本の扁平管（31）のうち該Ｕ字管（200）に対応する扁平管（31）の端部が挿入され、
上記ｎ本のＵ字管（200）の各々の他端部には、上記風下管列（90）を構成するｎ本の扁平管（61）のうち該Ｕ字管（200）に対応する扁平管（61）の端部が挿入される
ことを特徴とする熱交換器。
【請求項４】
請求項１において、
上記接続ユニット（100）は、それぞれの両端部が閉塞された筒状に形成されたｎ本の密閉管（300）によって構成され、
上記ｎ本の密閉管（300）の各々の周面には、該密閉管（300）の軸方向に並ぶ第１スリット（301）および第２スリット（302）が形成され、
上記ｎ本の密閉管（300）の各々に形成された第１スリット（301）には、上記風上管列（50）を構成するｎ本の扁平管（31）のうち該密閉管（300）に対応する扁平管（31）の端部が挿入され、
上記ｎ本の密閉管（300）の各々に形成された第２スリット（302）には、上記風下管列（90）を構成するｎ本の扁平管（61）のうち該密閉管（300）に対応する扁平管（61）の端部が挿入される
ことを特徴とする熱交換器。
【請求項５】
請求項１において、
上記接続ユニット（100）は、それぞれが互いに重ね合わされて接合された２枚の板状部材（401）からなるｎ個の積層部材（400）によって構成され、
上記ｎ個の積層部材（400）の各々には、該積層部材（400）を構成する２枚の板状部材（401）の間においてＵ字状に延びて該積層部材（400）の一側面に両端が開口する連通路（402）が形成され、
上記ｎ個の積層部材（400）の各々に形成された連通路（402）の一端部（402a）には、上記風上管列（50）を構成するｎ本の扁平管（31）のうち該積層部材（400）に対応する扁平管（31）の端部が挿入され、
上記ｎ個の積層部材（400）の各々に形成された連通路（402）の他端部（402b）には、上記風下管列（90）を構成するｎ本の扁平管（61）のうち該積層部材（400）に対応する扁平管（61）の端部が挿入される
ことを特徴とする熱交換器。
【発明の詳細な説明】
【技術分野】
【０００１】
この発明は、扁平管とフィンを有して冷媒と空気とを熱交換させる熱交換器に関する。
【背景技術】
【０００２】
従来より、扁平管とフィンを有して扁平管を流れる冷媒を空気と熱交換させる熱交換器が知られている。特許文献１（図２を参照）には、配列された扁平管からなる管列を二つ有する二列構造の熱交換器が開示されている。特許文献１に開示された熱交換器では、個別の扁平管を二列に配列することによって二つの管列が構成される。また、特許文献１に開示された熱交換器では、扁平管の端部にヘッダが接続され、ヘッダへ流入した冷媒が複数の扁平管へ分かれて流れ込む。
【先行技術文献】
【特許文献】
【０００３】
【特許文献１】特表２００５−５１０６８９号公報
【発明の概要】
【発明が解決しようとする課題】
【０００４】
ところで、特許文献１の熱交換器では、一方の管列を構成する複数の扁平管の端部と他方の管列を構成する複数の扁平管の端部とを一つのヘッダ内の空間で連通する構造となっているので、一方の管列を構成する複数の扁平管を通過した冷媒がヘッダ内の空間で一旦合流し、その後に他方の管列を構成する複数の扁平管へ分かれて流入することになる。そのため、他方を構成する複数の扁平管へ流入する冷媒の質量流量が不均一となるおそれがある。
【０００５】
そこで、この発明は、二つの管列を構成する複数の扁平管に流れる冷媒の質量流量が不均一になることを抑制することが可能な熱交換器を提供することを目的とする。
【課題を解決するための手段】
【０００６】
第１の発明は、平行に並んだ複数の扁平管（31,61）によってそれぞれが構成されて空気の流れ方向に並ぶ風上管列（50）および風下管列（90）と、上記扁平管（31.61）に接合されたフィン（32,62）とを備える熱交換器であって、上記風上管列（50）を構成するｎ本（ｎは、２以上の整数）の扁平管（31）の端部と上記風下管列（90）を構成するｎ本の扁平管（61）の端部とを一対一で連通させるｎ本の連通路を有する接続ユニット（100）を備えていることを特徴とする熱交換器である。
【０００７】
上記第１の発明では、風上管列（50）を構成するｎ本の扁平管（31）と風下管列（90）を構成するｎ本の扁平管（61）とが接続ユニット（100）のｎ本の連通路を介して一本ずつ個別に接続されているので、風上管列（50）および風下管列（90）（具体的には、ｎ本の扁平管（31）およびｎ本の扁平管（61））の一方から他方へ冷媒が流れる際に、一方の管列（50,90）を構成する複数の扁平管（31,61）を通過した冷媒は、互いに合流することなく、他方の管列（90,50）を構成する複数の扁平管（61,31）にそれぞれ個別に流入する。したがって、風上管列（50）および風下管列（90）の一方から他方へ冷媒が流れる際に、一方の管列（50,90）を構成する複数の扁平管（31,61）を流れる冷媒が一旦合流して他方の管列（61,31）を構成する複数の扁平管（61,31）に分かれて流入することはない。すなわち、風上管列（50）と風下管列（90）との間（具体的には、ｎ本の扁平管（31）とｎ本の扁平管（61）との間）において冷媒の合流および分流は発生しない。
【０００８】
第２の発明は、上記第１の発明において、上記接続ユニット（100）が、上記風上管列（50）を構成する扁平管（31）の配列方向に延びる筒状に形成されて内部空間が軸方向に並んだｎ個の第１連結用空間（47）に区画され、該ｎ個の第１連結用空間（47）に該風上管列（50）を構成するｎ本の扁平管（31）の端部が一対一で連通する風上ヘッダ集合管（45）と、上記風下管列（90）を構成する扁平管（61）の配列方向に延びる筒状に形成されて内部空間が軸方向に並んだｎ個の第２連結用空間（82）に区画され、該ｎ個の第２連結用空間（82）に該風下管列（90）を構成するｎ本の扁平管（61）の端部が一対一で連通する風下ヘッダ集合管（80）と、上記風上ヘッダ集合管（45）内に形成されたｎ個の第１連結用空間（47）と上記風下ヘッダ集合管（80）内に形成されたｎ個の第２連結用空間（82）とを一対一で連通させるｎ本の連結管（105）とによって構成されていることを特徴とする熱交換器である。
【０００９】
上記第２の発明では、風上ヘッダ集合管（45）によって風上管列（50）を構成するｎ本の扁平管（31）の端部とｎ本の連結管（105）の一端部とが支持され、風下ヘッダ集合管（80）によって風下管列（90）を構成するｎ本の扁平管（61）の端部とｎ本の連結管（105）の他端部とが支持されている。
【００１０】
第３の発明は、上記第１の発明において、上記接続ユニット（100）が、それぞれの両端部が扁平に形成されたｎ本のＵ字管（200）によって構成され、上記ｎ本のＵ字管（200）の各々の一端部に、上記風上管列（50）を構成するｎ本の扁平管（31）のうち該Ｕ字管（200）に対応する扁平管（31）の端部が挿入され、上記ｎ本のＵ字管（200）の各々の他端部に、上記風下管列（90）を構成するｎ本の扁平管（61）のうち該Ｕ字管（200）に対応する扁平管（61）の端部が挿入されることを特徴とする熱交換器である。
【００１１】
上記第３の発明では、それぞれが風上管列（50）を構成する一つの扁平管（31）と風下管列（90）を構成する一つの扁平管（61）からなるｎ組の扁平管（31,61）の組合せに対してｎ本のＵ字管（200）が一本ずつ個別に接続されているので、ｎ本のＵ字管（200）のいずれかに接続不良が発生した場合、その接続不良が発生しているＵ字管（200）を交換することにより、接続不良を解消することができる。
【００１２】
第４の発明は、上記第１の発明において、上記接続ユニット（100）が、それぞれの両端部が閉塞された筒状に形成されたｎ本の密閉管（300）によって構成され、上記ｎ本の密閉管（300）の各々の周面に、該密閉管（300）の軸方向に並ぶ第１スリット（301）および第２スリット（302）が形成され、上記ｎ本の密閉管（300）の各々に形成された第１スリット（301）に、上記風上管列（50）を構成するｎ本の扁平管（31）のうち該密閉管（300）に対応する扁平管（31）の端部が挿入され、上記ｎ本の密閉管（300）の各々に形成された第２スリット（302）に、上記風下管列（90）を構成するｎ本の扁平管（61）のうち該密閉管（300）に対応する扁平管（61）の端部が挿入されることを特徴とする熱交換器である。
【００１３】
上記第４の発明では、それぞれが風上管列（50）を構成する一つの扁平管（31）と風下管列（90）を構成する一つの扁平管（61）からなるｎ組の扁平管（31,61）の組合せに対してｎ本の密閉管（300）が一本ずつ個別に接続されているので、ｎ本の密閉管（300）のいずれかに接続不良が発生した場合、その接続不良が発生している密閉管（300）を交換することにより、接続不良を解消することができる。
【００１４】
第５の発明は、上記第１の発明において、上記接続ユニット（100）が、それぞれが互いに重ね合わされて接合された２枚の板状部材（401）からなるｎ個の積層部材（400）によって構成され、上記ｎ個の積層部材（400）の各々に、該積層部材（400）を構成する２枚の板状部材（401）の間においてＵ字状に延びて該積層部材（400）の一側面に両端が開口する連通路（402）が形成され、上記ｎ個の積層部材（400）の各々に形成された連通路（402）の一端部（402a）に、上記風上管列（50）を構成するｎ本の扁平管（31）のうち該積層部材（400）に対応する扁平管（31）の端部が挿入され、上記ｎ個の積層部材（400）の各々に形成された連通路（402）の他端部（402b）に、上記風下管列（90）を構成するｎ本の扁平管（61）のうち該積層部材（400）に対応する扁平管（61）の端部が挿入されることを特徴とする熱交換器である。
【００１５】
上記第５の発明では、それぞれが風上管列（50）を構成する一つの扁平管（31）と風下管列（90）を構成する一つの扁平管（61）からなるｎ組の扁平管（31,61）の組合せに対してｎ個の積層部材（400）が一つずつ個別に接続されているので、ｎ個の積層部材（400）のいずれかに接続不良が発生した場合、その接続不良が発生している積層部材（400）を交換することにより、接続不良を解消することができる。
【発明の効果】
【００１６】
第１の発明によれば、風上管列（50）と風下管列（90）との間（具体的には、ｎ本の扁平管（31）とｎ本の扁平管（61）との間）において冷媒の合流および分流が発生しないので、熱交換器（23）における冷媒の流通経路において冷媒が複数の扁平管（31,61）に分配される回数を減らすことができる。これにより、各扁平管（31,61）を流れる冷媒の質量流量の均一化を容易にすることができる。
【００１７】
第２の発明によれば、風上管列（50）を構成するｎ本の扁平管（31）と風下管列（90）を構成するｎ本の扁平管（61）とｎ本の連結管（105）とが風上ヘッダ集合管（45）および風下ヘッダ集合管（80）に支持されているので、接続ユニット（100）の構造強度（変形しにくさ）を向上させることができる。
【００１８】
第３の発明によれば、ｎ本のＵ字管（200）のうち接続不良が発生しているＵ字管（200）を交換することによって接続不良を解消することができるので、接続ユニット（100）の保守を容易にすることができる。また、Ｕ字管（200）には繋ぎ目がないので、接続部材（すなわち、Ｕ字管（200））における冷媒漏れを防止することができる。
【００１９】
第４の発明によれば、ｎ本の密閉管（300）のうち接続不良が発生している密閉管（300）を交換することによって接続不良を解消することができるので、接続ユニット（100）の保守を容易にすることができる。また、密閉管（300）には繋ぎ目がないので、接続部材（すなわち、密閉管（300））における冷媒漏れを防止することができる。
【００２０】
第５の発明によれば、ｎ個の積層部材（400）のうち接続不良が発生している積層部材（400）を交換することによって接続不良を解消することができるので、接続ユニット（100）の保守を容易にすることができる。
【図面の簡単な説明】
【００２１】
【図１】図１は、実施形態１の熱交換器を備えた空気調和機の概略構成を示す冷媒回路図である。
【図２】図２は、実施形態１の熱交換器の概略構成を示す斜視図である。
【図３】図３は、実施形態１の熱交換器を風上熱交換器ユニットと風下熱交換器ユニットに分解して示す概略の斜視図であって、熱交換器が蒸発器として機能する場合の冷媒の流れを示すものである。
【図４】図４は、実施形態１の熱交換器を風上熱交換器ユニットと風下熱交換器ユニットに分解して示す概略の斜視図であって、熱交換器が凝縮器として機能する場合の冷媒の流れを示すものである。
【図５】図５は、実施形態１の風上熱交換器ユニットを正面から見た一部断面図である。
【図６】図６は、実施形態１の風下熱交換器ユニットを正面から見た一部断面図である。
【図７】図７は、図５のＡ−Ａ断面および図６のＢ−Ｂ断面の一部を拡大して示す熱交換器ユニットの断面図である。
【図８】図８は、実施形態１の風上熱交換器ユニットの一部を正面から見た拡大断面図である。
【図９】図９は、実施形態１の熱交換器の要部の断面図であって、図９(Ａ)は図９(Ｂ)のＤ−Ｄ断面を示し、図９(Ｂ)は図９(Ａ)のＣ−Ｃ断面を示す。
【図１０】図１０は、実施形態１の変形例の熱交換器の要部の断面図であって、図１０(Ａ)は図１０(Ｂ)のＤ−Ｄ断面を示し、図１０(Ｂ)は図１０(Ａ)のＣ−Ｃ断面を示す。
【図１１】図１１は、実施形態２の熱交換器の概略構成を示す斜視図である。
【図１２】図１２は、実施形態２の接続ユニットを構成するＵ字管の構成を示す図であって、図１２(Ａ)は扁平管が挿入されたＵ字管を上方から見た断面図であり、図１２(Ｂ)は扁平管が挿入されたＵ字管を正面から見た正面図であり、図１２(Ｃ)はＵ字管を左方から見た側面図である。
【図１３】図１３は、実施形態３の熱交換器の概略斜視図である。
【図１４】図１４は、実施形態３の接続ユニットを構成する密閉管の構成を示す図であり、図１４(Ａ)は扁平管が挿入された密閉管を上方から見た断面図であり、図１４(Ｂ)は扁平管が挿入された密閉管を正面から見た断面図であり、図１４(Ｃ)は密閉管を左方から見た側面図である。
【図１５】図１５は、実施形態３の変形例の密閉管および扁平管の構成を示す図であり、図１５(Ａ)は扁平管が挿入された密閉管を上方から見た断面図であり、図１５(Ｂ)は扁平管が挿入された密閉管を正面から見た断面図であり、図１５(Ｃ)は密閉管を左方から見た側面図である。
【図１６】図１６は、実施形態４の熱交換器の概略構成を示す斜視図である。
【図１７】図１７は、実施形態４の接続ユニットを構成する積層部材の構成を示す図であり、図１７(Ａ)は扁平管が挿入された積層部材を上方から見た平面図であり、図１７(Ｂ)は扁平管が挿入された積層部材を正面から見た正面図であり、図１７(Ｃ)は積層部材を左方から見た側面図である。
【図１８】図１８は、その他の実施形態の熱交換器の図７に相当する断面図である。
【発明を実施するための形態】
【００２２】
以下、この発明の実施形態を図面を参照して詳しく説明する。なお、図中同一または相当部分には同一の符号を付しその説明は繰り返さない。また、以下で説明する実施形態および変形例は、本質的に好ましい例示であって、この発明、その適用物、あるいはその用途の範囲を制限することを意図するものではない。
【００２３】
〔実施形態１〕
図１は、実施形態１による熱交換器（23）が設けられた空気調和機（10）の構成例を示している。この例では、熱交換器（23）は、室外熱交換器として利用される。空気調和機（10）は、室外ユニット（11）と室内ユニット（12）とを備えている。室外ユニット（11）と室内ユニット（12）は、液側連絡配管（13）およびガス側連絡配管（14）を介して互いに接続されている。空気調和機（10）では、室外ユニット（11）と室内ユニット（12）と液側連絡配管（13）とガス側連絡配管（14）によって、冷媒回路（20）が形成されている。
【００２４】
冷媒回路（20）には、圧縮機（21）と、四方切換弁（22）と、室外熱交換器（すなわち、熱交換器（23））と、膨張弁（24）と、室内熱交換器（25）とが設けられている。圧縮機（21）と四方切換弁（22）と熱交換器（23）と膨張弁（24）は、室外ユニット（11）に収容されている。室外ユニット（11）には、熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００２５】
冷媒回路（20）は、冷媒が充填された閉回路である。冷媒回路（20）において、圧縮機（21）は、その吐出管が四方切換弁（22）の第１のポートに、その吸入管が四方切換弁（22）の第２のポートに、それぞれ接続されている。また、冷媒回路（20）では、四方切換弁（22）の第３のポートから第４のポートへ向かって順に、熱交換器（23）と、膨張弁（24）と、室内熱交換器（25）とが配置されている。この冷媒回路（20）において、熱交換器（23）は、配管（17）を介して膨張弁（24）に接続され、配管（18）を介して四方切換弁（22）の第３のポートに接続される。
【００２６】
圧縮機（21）は、スクロール型またはロータリ型の全密閉型圧縮機である。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００２７】
熱交換器（23）は、室外空気を冷媒と熱交換させる。熱交換器（23）の構成については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００２８】
〈空気調和機の運転動作〉
次に、空気調和機（10）の運転動作について説明する。空気調和機（10）は、冷房運転と暖房運転を選択的に行う。
【００２９】
冷房運転中の冷媒回路（20）では、四方切換弁（22）を第１状態に設定した状態で、冷凍サイクルが行われる。この状態では、熱交換器（23）、膨張弁（24）、室内熱交換器（25）の順に冷媒が循環し、熱交換器（23）が凝縮器として機能し、室内熱交換器（25）が蒸発器として機能する。熱交換器（23）では、圧縮機（21）から流入したガス冷媒が室外空気へ放熱して凝縮し、凝縮後の冷媒が膨張弁（24）へ向けて流出してゆく。
【００３０】
暖房運転中の冷媒回路（20）では、四方切換弁（22）を第２状態に設定した状態で、冷凍サイクルが行われる。この状態では、室内熱交換器（25）、膨張弁（24）、熱交換器（23）の順に冷媒が循環し、室内熱交換器（25）が凝縮器として機能し、熱交換器（23）が蒸発器として機能する。熱交換器（23）には、膨張弁（24）を通過する際に膨張して気液二相状態となった冷媒が流入する。熱交換器（23）へ流入した冷媒は、室外空気から吸熱して蒸発し、その後に圧縮機（21）へ向けて流出してゆく。
【００３１】
〈熱交換器の構成〉
次に、図２〜図９を参照して、熱交換器（23）の構成について説明する。なお、以下の説明において用いる「上」「下」「左」「右」「前」「後」は、熱交換器（23）を空気の流れ方向の上流側から見た場合の方向を示している。
【００３２】
図２に示すように、熱交換器（23）は、二列構造の空気熱交換器であり、風上熱交換器ユニット（30）と風下熱交換器ユニット（60）と接続ユニット（100）とを備えている。風上熱交換器ユニット（30）と風下熱交換器ユニット（60）は、熱交換器（23）を通過する空気流の方向に重なっている。熱交換器（23）を通過する空気の流れ方向において、風上熱交換器ユニット（30）は、風下熱交換器ユニット（60）の上流側に配置されている。
【００３３】
《風上熱交換器ユニットの構成》
図３および図５に示すように、風上熱交換器ユニット（30）は、一つの第１風上ヘッダ集合管（40）と、多数の扁平管（31）と、多数のフィン（32）とを備えている。第１風上ヘッダ集合管（40）と扁平管（31）とフィン（32）は、何れもアルミニウム合金製の部材であって、互いにロウ付けによって接合されている。
【００３４】
第１風上ヘッダ集合管（40）は、両端が閉塞された細長い円筒状に形成されている。図５において、第１風上ヘッダ集合管（40）は、風上熱交換器ユニット（30）の左端に起立した状態で設置されている。つまり、第１風上ヘッダ集合管（40）は、その軸方向が上下方向となる状態で設置されている。
【００３５】
図７に示すように、扁平管（31）は、その断面形状が扁平な長円形となった伝熱管である。図５に示すように、風上熱交換器ユニット（30）において、複数の扁平管（31）は、それぞれの軸方向が左右方向となり、それぞれの側面のうち平坦な部分（平坦部）が対向する状態で配置されている。また、複数の扁平管（31）は、互いに一定の間隔をおいて上下に並んで配置され、互いの軸方向が実質的に平行となっている。各扁平管（31）は、その一端が第１風上ヘッダ集合管（40）に挿入され、その他端が接続ユニット（100）（具体的には、後述する第２風上ヘッダ集合管（45））に挿入されている。風上熱交換器ユニット（30）に設けられた扁平管（31）は、風上管列（50）を構成している。
【００３６】
図７に示すように、各扁平管（31）には、複数の流体通路（175）が形成されている。各流体通路（175）は、扁平管（31）の軸方向に延びる通路であって、扁平管（31,61）の幅方向に一列に並んでいる。各流体通路（175）は、扁平管（31）の両端面に開口している。風上熱交換器ユニット（30）へ供給された冷媒は、扁平管（31）の流体通路（175）を流れる間に空気と熱交換する。
【００３７】
図７に示すように、フィン（32）は、金属板をプレス加工することによって形成された縦長の板状フィンである。フィン（32）には、フィン（32）の前縁（即ち、風上側の縁部）からフィン（32）の幅方向に延びる細長い切り欠き部（186）が、多数形成されている。フィン（32）では、複数の切り欠き部（186）が、フィン（32）の長手方向（上下方向）に一定の間隔で形成されている。切り欠き部（186）の風下寄りの部分は、管挿入部（187）を構成している。扁平管（31）は、フィン（32）の管挿入部（187）に挿入され、管挿入部（187）の周縁部とロウ付けによって接合される。また、フィン（32）には、伝熱を促進するためのルーバー（185）が形成されている。そして、複数のフィン（32）は、扁平管（31）の軸方向に一定の間隔をおいて配列されている。
【００３８】
図３および図５に示すように、風上熱交換器ユニット（30）は、上下に二つの熱交換領域（35,37）に区分されており、上側の熱交換領域が風上主熱交換領域（35）となり、下側の熱交換領域が風上補助熱交換領域（37）となっている。
【００３９】
風上熱交換器ユニット（30）に設けられた扁平管（31）は、風上主熱交換領域（35）に位置するものが風上主列部（51）を構成し、風上補助熱交換領域（37）に位置するものが風上補助列部（54）を構成する。つまり、風上管列（50）を構成する扁平管（31）は、その一部が風上補助列部（54）を構成し、残りが風上主列部（51）を構成する。詳しくは後述するが、風上補助列部（54）を構成する扁平管（31）の本数は、風上主列部（51）を構成する扁平管（31）の本数よりも少ない。
【００４０】
風上主熱交換領域（35）は、上下に六つの風上主熱交換部（36a〜36f）に区分されている。一方、風上補助熱交換領域（37）は、上下に三つの風上補助熱交換部（38a〜38c）に区分されている。なお、ここに示した風上主熱交換部（36a〜36f）および風上補助熱交換部（38a〜38c）の数は、単なる一例である。
【００４１】
風上主熱交換領域（35）には、下から上に向かって順に、第１風上主熱交換部（36a）と、第２風上主熱交換部（36b）と、第３風上主熱交換部（36c）と、第４風上主熱交換部（36d）と、第５風上主熱交換部（36e）と、第６風上主熱交換部（36f）とが形成されている。各風上主熱交換部（36a〜36f）には、十二本の扁平管（31）が設けられている。
【００４２】
第１風上主熱交換部（36a）に設けられた十二本の扁平管（31）は、第１風上主列ブロック（52a）を構成する。第２風上主熱交換部（36b）に設けられた十二本の扁平管（31）は、第２風上主列ブロック（52b）を構成する。第３風上主熱交換部（36c）に設けられた十二本の扁平管（31）は、第３風上主列ブロック（52c）を構成する。第４風上主熱交換部（36d）に設けられた十二本の扁平管（31）は、第４風上主列ブロック（52d）を構成する。第５風上主熱交換部（36e）に設けられた十二本の扁平管（31）は、第５風上主列ブロック（52e）を構成する。第６風上主熱交換部（36f）に設けられた十二本の扁平管（31）は、第６風上主列ブロック（52f）を構成する。なお、各風上主列ブロック（52a〜52f）を構成する扁平管（31）の本数は、互いに一致していなくてもよい。
【００４３】
第１風上主列ブロック（52a）および第２風上主列ブロック（52b）は、第１風上主列ブロック群（53a）を構成する。第３風上主列ブロック（52c）および第４風上主列ブロック（52d）は、第２風上主列ブロック群（53b）を構成する。第５風上主列ブロック（52e）および第６風上主列ブロック（52f）は、第３風上主列ブロック群（53c）を構成する。
【００４４】
風上補助熱交換領域（37）には、下から上に向かって順に、第１風上補助熱交換部（38a）と、第２風上補助熱交換部（38b）と、第３風上補助熱交換部（38c）とが形成されている。各風上補助熱交換部（38a〜38c）には、三本の扁平管（31）が設けられている。
【００４５】
第１風上補助熱交換部（38a）に設けられた三本の扁平管（31）は、第１風上補助列ブロック（55a）を構成する。第２風上補助熱交換部（38b）に設けられた三本の扁平管（31）は、第２風上補助列ブロック（55b）を構成する。第３風上補助熱交換部（38c）に設けられた三本の扁平管（31）は、第３風上補助列ブロック（55c）を構成する。なお、各風上補助列ブロック（55a〜55c）を構成する扁平管（31）の本数は、互いに一致していなくてもよい。
【００４６】
図５に示すように、第１風上ヘッダ集合管（40）の内部空間は、仕切板（41）によって上下に仕切られており、仕切板（41）の上側の空間が上側空間（42）となり、仕切板（41）の下側の空間が下側空間（43）となっている。
【００４７】
上側空間（42）は、風上主列部（51）を構成する全ての扁平管（31）と連通する。第１風上ヘッダ集合管（40）のうち上側空間（42）を形成する部分には、ガス側接続管（102）が接続されている。このガス側接続管（102）には、冷媒回路（20）を構成する配管（18）が接続される。
【００４８】
第１風上ヘッダ集合管（40）のうち下側空間（43）を形成する部分には、液側接続管（101）が接続される。この液側接続管（101）には、冷媒回路（20）を構成する配管（17）が接続される。詳しくは後述するが、第１風上ヘッダ集合管（40）のうち下側空間（43）を形成する部分は、冷媒を三つの風上補助熱交換部（38a〜38c）へ分配するための分流器（150）を構成する。
【００４９】
《風下熱交換器ユニットの構成》
図３および図６に示すように、風下熱交換器ユニット（60）は、一つの第１風下ヘッダ集合管（70）と、多数の扁平管（61）と、多数のフィン（62）とを備えている。第１風下ヘッダ集合管（70）と扁平管（61）とフィン（62）は、何れもアルミニウム合金製の部材であって、互いにロウ付けによって接合されている。
【００５０】
第１風下ヘッダ集合管（70）は、両端が閉塞された細長い円筒状に形成されている。図６において、第１風下ヘッダ集合管（70）は、風下熱交換器ユニット（60）の左端に起立した状態で設置されている。つまり、第１風下ヘッダ集合管（70）は、その軸方向が上下方向となる状態で設置されている。
【００５１】
図７に示すように、扁平管（61）は、風上熱交換器ユニット（30）の扁平管（31）と同一形状の伝熱管である。風下熱交換器ユニット（60）へ供給された冷媒は、扁平管（61）の流体通路（175）を流れる間に空気と熱交換する。
【００５２】
図６に示すように、風下熱交換器ユニット（60）において、複数の扁平管（61）は、風上熱交換器ユニット（30）の扁平管（31）と同様に配列されている。上下に配列された各扁平管（61）は、その一端が第１風下ヘッダ集合管（70）に挿入され、その他端が接続ユニット（100）（具体的には、後述する第２風下ヘッダ集合管（80））に挿入されている。風下熱交換器ユニット（60）に設けられた扁平管（61）は、風下管列（90）を構成している。風下管列（90）を構成する扁平管（61）の本数は、風上管列（50）を構成する扁平管（31）の本数と等しい。
【００５３】
図７に示すように、フィン（62）は、金属板をプレス加工することによって形成された縦長の板状フィンである。このフィン（62）の形状は、風上熱交換器ユニット（30）のフィン（32）と同じである。つまり、フィン（62）には切り欠き部（186）が形成され、切り欠き部（186）の一部である管挿入部（187）に扁平管（61）が接合される。また、フィン（62）には、伝熱を促進するためのルーバー（185）が形成されている。そして、複数のフィン（62）は、扁平管（61）の軸方向に一定の間隔をおいて配列されている。
【００５４】
図３および図６に示すように、風下熱交換器ユニット（60）は、上下に二つの熱交換領域（65,67）に区分されており、上側の熱交換領域が風下主熱交換領域（65）となり、下側の熱交換領域が風下補助熱交換領域（67）となっている。
【００５５】
風下熱交換器ユニット（60）に設けられた扁平管（61）は、風下主熱交換領域（65）に位置するものが風下主列部（91）を構成し、風下補助熱交換領域（67）に位置するものが風下補助列部（94）を構成する。つまり、風下管列（90）を構成する扁平管（61）は、その一部が風下補助列部（94）を構成し、残りが風下主列部（91）を構成する。詳しくは後述するが、風下補助列部（94）を構成する扁平管（61）の本数は、風下主列部（91）を構成する扁平管（61）の本数よりも少ない。また、風下主列部（91）を構成する扁平管（61）の本数は、風上主列部（51）を構成する扁平管（31）の本数と等しく、風下補助列部（94）を構成する扁平管（61）の本数は、風上補助列部（54）を構成する扁平管（31）の本数と等しい。
【００５６】
風下主熱交換領域（65）は、上下に六つの風下主熱交換部（66a〜66f）に区分されている。一方、風下補助熱交換領域（67）は、上下に三つの風下補助熱交換部（68a〜68c）に区分されている。なお、ここに示した風下主熱交換部（66a〜66f）および風下補助熱交換部（68a〜68c）の数は、単なる一例である。ただし、風下主熱交換部（66a〜66f）は風上主熱交換部（36a〜36f）と同数であり、風下補助熱交換部（68a〜68c）は風上補助熱交換部（38a〜38c）と同数であるのが望ましい。
【００５７】
風下主熱交換領域（65）には、下から上に向かって順に、第１風下主熱交換部（66a）と、第２風下主熱交換部（66b）と、第３風下主熱交換部（66c）と、第４風下主熱交換部（66d）と、第５風下主熱交換部（66e）と、第６風下主熱交換部（66f）とが形成されている。各風下主熱交換部（66a〜66f）には、十二本の扁平管（61）が設けられている。
【００５８】
第１風下主熱交換部（66a）に設けられた十二本の扁平管（61）は、第１風下主列ブロック（92a）を構成する。第２風下主熱交換部（66b）に設けられた十二本の扁平管（61）は、第２風下主列ブロック（92ｂ）を構成する。第３風下主熱交換部（66c）に設けられた十二本の扁平管（61）は、第３風下主列ブロック（92c）を構成する。第４風下主熱交換部（66d）に設けられた十二本の扁平管（61）は、第４風下主列ブロック（92d）を構成する。第５風下主熱交換部（66e）に設けられた十二本の扁平管（61）は、第５風下主列ブロック（92e）を構成する。第６風下主熱交換部（66f）に設けられた十二本の扁平管（61）は、第６風下主列ブロック（92f）を構成する。
【００５９】
なお、各風下主列ブロック（92a〜92f）を構成する扁平管（61）の本数は、互いに一致していなくてもよい。ただし、各風下主列ブロック（92a〜92f）を構成する扁平管（61）の本数が互いに一致しない場合であっても、第１風下主列ブロック（92a）を構成する扁平管（61）は第１風上主列ブロック（52a）を構成する扁平管（31）と同数であり、第２風下主列ブロック（92ｂ）を構成する扁平管（61）は第２風上主列ブロック（52b）を構成する扁平管（31）と同数であり、第３風下主列ブロック（92c）を構成する扁平管（61）は第３風上主列ブロック（52c）を構成する扁平管（31）と同数であり、第４風下主列ブロック（92d）を構成する扁平管（61）は第４風上主列ブロック（52d）を構成する扁平管（31）と同数であり、第５風下主列ブロック（92e）を構成する扁平管（61）は第５風上主列ブロック（52e）を構成する扁平管（31）と同数であり、第６風下主列ブロック（92f）を構成する扁平管（61）は第６風上主列ブロック（52f）を構成する扁平管（31）と同数であるのが望ましい。
【００６０】
第１風下主列ブロック（92a）および第２風下主列ブロック（92ｂ）は、第１風下主列ブロック群（93a）を構成する。第３風下主列ブロック（92c）および第４風下主列ブロック（92d）は、第２風下主列ブロック群（93b）を構成する。第５風下主列ブロック（92e）および第６風下主列ブロック（92f）は、第３風下主列ブロック群（93c）を構成する。
【００６１】
風下補助熱交換領域（67）には、下から上に向かって順に、第１風下補助熱交換部（68a）と、第２風下補助熱交換部（68b）と、第３風下補助熱交換部（68c）とが形成されている。各風下補助熱交換部（68a〜68c）には、三本の扁平管（61）が設けられている。
【００６２】
第１風下補助熱交換部（68a）に設けられた三本の扁平管（61）は、第１風下補助列ブロック（95a）を構成する。第２風下補助熱交換部（68b）に設けられた三本の扁平管（61）は、第２風下補助列ブロック（95b）を構成する。第３風下補助熱交換部（68c）に設けられた三本の扁平管（61）は、第３風下補助列ブロック（95c）を構成する。
【００６３】
なお、各風下補助列ブロック（95a〜95c）を構成する扁平管（61）の本数は、互いに一致していなくてもよい。ただし、各風下補助列ブロック（95a〜95c）を構成する扁平管（61）の本数が互いに一致しない場合であっても、第１風下補助列ブロック（95a）を構成する扁平管（61）は第１風上補助列ブロック（55a）を構成する扁平管（31）と同数であり、第２風下補助列ブロック（95b）を構成する扁平管（61）は第２風上補助列ブロック（55b）を構成する扁平管（31）と同数であり、第３風下補助列ブロック（95c）を構成する扁平管（61）は第３風上補助列ブロック（55c）を構成する扁平管（31）と同数であるのが望ましい。
【００６４】
図６に示すように、第１風下ヘッダ集合管（70）の内部空間は、仕切板（71）によって上下に仕切られており、仕切板（71）の上側の空間が上側空間（72）となり、仕切板（71）の下側の空間が下側空間（73）となっている。
【００６５】
上側空間（72）は、五枚の仕切板（74）によって、六つの主連通空間（75a〜75f）に仕切られている。つまり、第１風下ヘッダ集合管（70）における仕切板（71）の上側には、下から上へ向かって順に、第１主連通空間（75a）と、第２主連通空間（75b）と、第３主連通空間（75c）と、第４主連通空間（75d）と、第５主連通空間（75e）と、第６主連通空間（75f）とが形成されている。
【００６６】
第１主連通空間（75a）には、第１風下主列ブロック（92a）を構成する十二本の扁平管（61）が連通する。第２主連通空間（75b）には、第２風下主列ブロック（92ｂ）を構成する十二本の扁平管（61）が連通する。第３主連通空間（75c）には、第３風下主列ブロック（92c）を構成する十二本の扁平管（61）が連通する。第４主連通空間（75d）には、第４風下主列ブロック（92d）を構成する十二本の扁平管（61）が連通する。第５主連通空間（75e）には、第５風下主列ブロック（92e）を構成する十二本の扁平管（61）が連通する。第６主連通空間（75f）には、第６風下主列ブロック（92f）を構成する十二本の扁平管（61）が連通する。
【００６７】
下側空間（73）は、二枚の仕切板（76）によって、三つの補助連通空間（77a〜77c）に仕切られている。つまり、第１風下ヘッダ集合管（70）における仕切板（71）の下側には、下から上へ向かって順に、第１補助連通空間（77a）と、第２補助連通空間（77b）と、第３補助連通空間（77c）とが形成されている。
【００６８】
第１補助連通空間（77a）には、第１風下補助列ブロック（95a）を構成する三本の扁平管（61）が連通する。第２補助連通空間（77b）には、第２風下補助列ブロック（95b）を構成する三本の扁平管（61）が連通する。第３補助連通空間（77c）には、第３風下補助列ブロック（95c）を構成する三本の扁平管（61）が連通する。
【００６９】
第１風下ヘッダ集合管（70）には、三本の接続用配管（110,120,130）が取り付けられている。各接続用配管（110,120,130）は、一つの主管部（111,121,131）と、主管部（111,121,131）の端部に接続する二つの分岐管部（112a,112b,122a,122b,132a,132b）とを備えている。
【００７０】
第１接続用配管（110）は、第１風下補助列ブロック（95a）と第１風下主列ブロック群（93a）とを接続する。具体的には、第１接続用配管（110）は、主管部（111）の開口端が第１補助連通空間（77a）と連通し、一方の分岐管部（112a）の開口端が第１主連通空間（75a）と連通し、他方の分岐管部（112b）の開口端が第２主連通空間（75b）と連通する。したがって、第１補助連通空間（77a）は、第１風下主列ブロック（92a）に対応する第１主連通空間（75a）と、第２風下主列ブロック（92ｂ）に対応する第２主連通空間（75b）の両方に接続される。
【００７１】
第２接続用配管（120）は、第２風下補助列ブロック（95b）と第２風下主列ブロック群（93b）とを接続する。具体的には、第２接続用配管（120）は、主管部（121）の開口端が第２補助連通空間（77b）と連通し、一方の分岐管部（122a）の開口端が第３主連通空間（75c）と連通し、他方の分岐管部（122b）の開口端が第４主連通空間（75d）と連通する。したがって、第２補助連通空間（77b）は、第３風下主列ブロック（92c）に対応する第３主連通空間（75c）と、第４風下主列ブロック（92d）に対応する第４主連通空間（75d）の両方に接続される。
【００７２】
第３接続用配管（130）は、第３風下補助列ブロック（95c）と第３風下主列ブロック群（93c）とを接続する。具体的には、第３接続用配管（130）は、主管部（131）の開口端が第３補助連通空間（77c）と連通し、一方の分岐管部（132a）の開口端が第５主連通空間（75e）と連通し、他方の分岐管部（132b）の開口端が第６主連通空間（75f）と連通する。したがって、第３補助連通空間（77c）は、第５風下主列ブロック（92e）に対応する第５主連通空間（75e）と、第６風下主列ブロック（92f）に対応する第６主連通空間（75f）の両方に接続される。
【００７３】
《分流器の構成》
次に、図８を参照して、分流器（150）の構成について説明する。上述したように、第１風上ヘッダ集合管（40）のうち下側空間（43）を形成する部分は、分流器（150）を構成する。この分流器（150）は、熱交換器（23）が蒸発器として機能する場合に、熱交換器（23）へ供給された気液二相状態の冷媒を三つの風上補助熱交換部（38a〜38c）へ分配する。
【００７４】
下側空間（43）には、二枚の横仕切板（160,162）と、一枚の縦仕切板（164）とが設けられている。下側空間（43）は、二枚の横仕切板（160,162）と一枚の縦仕切板（164）とによって、三つの連通室（151〜153）と一つの混合室（154）と二つの中間室（155,156）に仕切られる。
【００７５】
具体的には、各横仕切板（160,162）は、下側空間（43）を横断するように配置され、下側空間（43）を上下に仕切る。下側横仕切板（160）は、第１風上補助列ブロック（55a）と第２風上補助列ブロック（55b）の間に配置され、上側横仕切板（162）は、第２風上補助列ブロック（55b）と第３風上補助列ブロック（55c）の間に配置される。縦仕切板（164）は、細長い長方形板状の部材である。縦仕切板（164）は、第１風上ヘッダ集合管（40）の軸方向に沿って配置され、下側空間（43）を扁平管（31）側と液側接続管（101）側に仕切る。
【００７６】
下側空間（43）のうち下側横仕切板（160）の下側の部分は、縦仕切板（164）によって、扁平管（31）側の第１連通室（151）と液側接続管（101）側の下側中間室（155）に仕切られる。第１連通室（151）は、第１風上補助列ブロック（55a）を構成する三本の扁平管（31）と連通する。
【００７７】
下側空間（43）のうち下側横仕切板（160）と上側横仕切板（162）の間の部分は、縦仕切板（164）によって、扁平管（31）側の第２連通室（152）と液側接続管（101）側の混合室（154）に仕切られる。第２連通室（152）は、第２風上補助列ブロック（55b）を構成する三本の扁平管（61）と連通する。混合室（154）は、液側接続管（101）と連通する。
【００７８】
下側空間（43）のうち上側横仕切板（162）よりも上側の部分は、縦仕切板（164）によって、扁平管（31）側の第３連通室（153）と液側接続管（101）側の上側中間室（156）に仕切られる。第３連通室（153）は、第３風上補助列ブロック（55c）を構成する三本の扁平管（31）と連通する。
【００７９】
縦仕切板（164）の上部と下部には、連通孔（165a,165b）が一つずつ形成されている。各連通孔（165a,165b）は、横長の長方形状の貫通孔である。縦仕切板（164）の下部の連通孔（165b）は、縦仕切板（164）のうち下側横仕切板（160）よりも下側の部分の下端付近に形成され、第１連通室（151）を下側中間室（155）と連通させる。縦仕切板（164）の上部の連通孔（165a）は、縦仕切板（164）のうち上側横仕切板（162）よりも上側の部分の下端付近に形成され、第３連通室（153）を上側中間室（156）と連通させる。
【００８０】
下側横仕切板（160）は、混合室（154）に面する部分に流量調節孔（161）が形成されている。第１連通室（151）は、この流量調節孔（161）を介して混合室（154）と連通する。上側横仕切板（162）は、混合室（154）に面する部分に流量調節孔（163）が形成されている。第３連通室（153）は、この流量調節孔（163）を介して混合室（154）と連通する。縦仕切板（164）は、混合室（154）に面する部分の下端付近に流量調節孔（166）が形成されている。第２連通室（152）は、この流量調節孔（166）を介して混合室（154）と連通する。
【００８１】
分流器（150）において、下側横仕切板（160）の流量調節孔（161）と、上側横仕切板（162）の流量調節孔（163）と、縦仕切板（164）の流量調節孔（166）とは、比較的小径の円形の貫通孔である。分流器（150）は、各風上補助列ブロック（55a〜55c）へ冷媒が所定の割合で分配されるように、これら流量調節孔（161,163,166）の開口面積（具体的には、直径）が設定されている。
【００８２】
《接続ユニットの構成》
次に、図２，図５，図６，図９(Ａ)，図９(Ｂ)を参照して、接続ユニット（100）の構成について説明する。図２，図５，図６に示すように、接続ユニット（100）は、風上熱交換器ユニット（30）および風下熱交換器ユニット（50）の端部（この例では、右端）に隣接して設けられ、風上熱交換器ユニット（30）の風上管列（50）を構成するｎ本の扁平管（31）の端部と風下熱交換器ユニット（50）の風下管列（90）を構成するｎ本の扁平管（61）の端部とを接続する。また、接続ユニット（100）は、風上管列（50）を構成するｎ本の扁平管（31）の端部と風下管列（90）を構成するｎ本の扁平管（61）の端部とを一対一で連通させるｎ本の連通路を有する。なお、ｎは、２以上の整数であり、一対一で対となっている扁平管（31,61）の数（対の数）に相当する。
【００８３】
この例では、接続ユニット（100）は、風上管列（50）を構成する全ての扁平管（31）の端部と風下管列（90）を構成する全ての扁平管（61）の端部とを一対一で接続して連通させている。すなわち、この例では、風上管列（50）を構成する全ての扁平管（31）と風下管列（90）を構成する全ての扁平管（61）とが一対一で対となっており、ｎは、風上管列（50）を構成する全ての扁平管（31）（または、風下管列（90）を構成する全ての扁平管（61））の本数に相当する。
【００８４】
また、この例では、接続ユニット（100）は、一つの第２風上ヘッダ集合管（45）と、一つの第２風下ヘッダ集合管（80）と、ｎ本の連結管（105）とによって構成されている。第２風上ヘッダ集合管（45）と第２風下ヘッダ集合管（80）と連結管（105）は、何れもアルミニウム合金製の部材であって、互いにロウ付けによって接合されている。
【００８５】
−第２風上ヘッダ集合管−
図３および図５に示すように、第２風上ヘッダ集合管（45）は、風上管列（50）を構成する扁平管（31）の配列方向に延びる筒状に形成されている。この例では、第２風上ヘッダ集合管（45）は、両端が閉塞された細長い円筒状に形成され、図５において風上熱交換器ユニット（30）の右端に起立した状態で設置されている。つまり、第２風上ヘッダ集合管（45）は、その軸方向が上下方向となる状態で設置されている。
【００８６】
第２風上ヘッダ集合管（45）の内部空間は、その軸方向に並んだｎ個の連結用空間（47）（第１の連通用空間）に区画され、ｎ個の連結用空間（47）には、風上管列（50）を構成するｎ本の扁平管（31）の端部（この例では、右端）が一対一で連通する。この例では、第２風上ヘッダ集合管（45）には、その内部空間を横断する多数の仕切板（46）が設けられている。第２風上ヘッダ集合管（45）の内部空間は、仕切板（46）によって、風上管列（50）を構成する扁平管（31）と同数の連結用空間（47）に区画されている。各仕切板（46）は、上下に隣り合う扁平管（31）の間に配置されている。そして、各連結用空間（47）は、それぞれが対応する一本の扁平管（31）と連通する。
【００８７】
−第２風下ヘッダ集合管−
図３および図６に示すように、第２風下ヘッダ集合管（80）は、風下管列（90）を構成する扁平管（61）の配列方向に延びる筒状に形成されている。この例では、第２風下ヘッダ集合管（80）は、両端が閉塞された細長い円筒状に形成され、図６において風下熱交換器ユニット（60）の右端に起立した状態で設置されている。つまり、第２風下ヘッダ集合管（80）は、その軸方向が上下方向となる状態で設置されている。
【００８８】
第２風下ヘッダ集合管（80）の内部空間は、その軸方向に並んだｎ個の連結用空間（82）（第２の連結用空間）に区画され、ｎ個の連結用空間（82）には、風下管列（90）を構成するｎ本の扁平管（61）の端部（この例では、右端）が一対一で連通する。この例では、第２風下ヘッダ集合管（80）には、その内部空間を横断する多数の仕切板（81）が設けられている。第２風下ヘッダ集合管（80）の内部空間は、仕切板（81）によって、風下管列（90）を構成する扁平管（61）と同数の連結用空間（82）に区画されている。各仕切板（81）は、上下に隣り合う扁平管（61）の間に配置されている。そして、各連結用空間（82）は、それぞれが対応する一本の扁平管（61）と連通する。
【００８９】
−連結管−
図９(Ａ)および図９(Ｂ)に示すように、ｎ本の連結管（105）は、第２風上ヘッダ集合管（45）内に形成されたｎ個の連結用空間（47）と第２風下ヘッダ集合管（80）内に形成されたｎ個の連結用空間（82）とを一対一で連通させる。すなわち、ｎ個の連結用空間（47）とｎ本の連結管（105）の内部空間と第２風下ヘッダ集合管（80）のｎ個の連結用空間（82）によって、ｎ本の扁平管（31）の端部とｎ本の扁平管（61）の端部とを一対一で連通させるｎ本の連通路が構成されている。
【００９０】
この例では、各連結管（105）は、比較的短い円管であり、その一端部が第２風上ヘッダ集合管（45）に挿入されて連結用空間（47）と連通し、その他端部が第２風下ヘッダ集合管（80）に挿入されて連結用空間（82）と連通している。
【００９１】
〈熱交換器における冷媒の流れ／蒸発器の場合〉
次に、暖房運転中における熱交換器（23）での冷媒の流れについて説明する。空気調和機（10）の暖房運転中には、熱交換器（23）が蒸発器として機能する。熱交換器（23）には、膨張弁（24）を通過する際に膨張して気液二相状態となった冷媒が、配管（17）を通じて供給される。図３に示すように、配管（17）から液側接続管（101）へ供給された冷媒は、風上補助列部（54）を構成する扁平管（31）と、風下補助列部（94）を構成する扁平管（61）と、風下主列部（91）を構成する扁平管（61）と、風上主列部（51）を構成する扁平管（31）とを順に通過し、ガス側接続管（102）を通って配管（18）へ流出してゆく。以下、熱交換器（23）の各部における冷媒の流れについて詳しく説明する。
【００９２】
図５および図８に示すように、液側接続管（101）から混合室（154）へ流入した気液二相状態の冷媒は、三つの連通室（151〜153）に分配され、その後、連通室（151〜153）に対応する風上補助列ブロック（55a〜55c）の扁平管（31）へ流入する。風上補助列ブロック（55a〜55c）の扁平管（31）を流れる冷媒は、熱交換器（23）へ供給された室外空気と熱交換する。
【００９３】
図９(Ａ)および図９(Ｂ)に示すように、風上補助列ブロック（55a〜55c）の各扁平管（31）と風下補助列ブロック（95a〜95c）の各扁平管（61）とは、接続ユニット（100）の連通路（この例では、第２風上ヘッダ集合管（45）の連結用空間（47）と連結管（105）の内部空間と第２風下ヘッダ集合管（80）の連結用空間（82）とによって形成された連通路）を介して一本ずつ個別に接続されている。したがって、三つ風上補助列ブロック（55a〜55c）を構成する九本の扁平管（31）を通過した冷媒は、接続ユニット（100）の九本の連通路を通過して、三つの風下補助列ブロック（95a〜95c）を構成する九本の扁平管（61）へそれぞれ個別に流入する。
【００９４】
図６に示すように、風下補助列ブロック（95a〜95c）の扁平管（61）を流れる冷媒は、風上補助熱交換領域（37）を通過した室外空気と熱交換する。各風下補助列ブロック（95a〜95c）の三本の扁平管（61）を通過した冷媒は、各風下補助列ブロック（95a〜95c）に対応する第１風下ヘッダ集合管（70）の補助連通空間（77a〜77c）へ入って合流する。
【００９５】
第１補助連通空間（77a）から第１接続用配管（110）の主管部（111）へ流入した冷媒は、その一部が一方の分岐管部（112a）を通って第１主連通空間（75a）へ、残りが他方の分岐管部（112b）を通って第２主連通空間（75b）へ、それぞれ流入する。第２補助連通空間（77b）から第２接続用配管（120）の主管部（121）へ流入した冷媒は、その一部が一方の分岐管部（122a）を通って第３主連通空間（75c）へ、残りが他方の分岐管部（122b）を通って第４主連通空間（75d）へ、それぞれ流入する。第３補助連通空間（77c）から第３接続用配管（130）の主管部（131）へ流入した冷媒は、その一部が一方の分岐管部（132a）を通って第５主連通空間（75e）へ、残りが他方の分岐管部（132b）を通って第６主連通空間（75f）へ、それぞれ流入する。
【００９６】
第１風下ヘッダ集合管（70）の各主連通空間（75a〜75f）へ流入した冷媒は、各主連通空間（75a〜75f）に対応する風下主列ブロック（92a〜92f）の十二本の扁平管（61）へ分かれて流入する。風下主列ブロック（92a〜92f）の扁平管（61）を流れる冷媒は、風上主熱交換領域（35）を通過した室外空気と熱交換する。
【００９７】
図９(Ａ)および図９(Ｂ)に示すように、風上主列ブロック（52a〜52f）の各扁平管（31）と風下主列ブロック（92a〜92f）の各扁平管（61）とは、接続ユニット（100）の連通路（この例では、第２風上ヘッダ集合管（45）の連結用空間（47）と連結管（105）の内部空間と第２風下ヘッダ集合管（80）の連結用空間（82）とによって形成された連通路）を介して一本ずつ個別に接続されている。したがって、六つの風下主列ブロック（92a〜92f）を構成する七十二本の扁平管（61）を通過した冷媒は、接続ユニット（100）の七十二本の連通路を通過して、六つの風上主列ブロック（52a〜52f）を構成する七十二本の扁平管（31）へそれぞれ個別に流入する。
【００９８】
図５に示すように、風上主列ブロック（52a〜52f）の扁平管（31）を流れる冷媒は、熱交換器（23）へ供給された室外空気と熱交換する。風上主列ブロック（52a〜52f）の扁平管（31）を通過した冷媒は、第１風上ヘッダ集合管（40）の上側空間（42）へ入って合流し、その後にガス側接続管（102）を通って熱交換器（23）から流出してゆく。
【００９９】
〈熱交換器における冷媒の流れ／凝縮器の場合〉
次に、冷房運転中における熱交換器（23）での冷媒の流れについて説明する。空気調和機（10）の冷房運転中には、熱交換器（23）が凝縮器として機能する。熱交換器（23）には、圧縮機（21）から吐出されたガス冷媒が、配管（18）を通じて供給される。図４に示すように、配管（18）からガス側接続管（102）へ供給された冷媒は、風上主列部（51）を構成する扁平管（31）と、風下主列部（91）を構成する扁平管（61）と、風下補助列部（94）を構成する扁平管（61）と、風上補助列部（54）を構成する扁平管（31）とを順に通過し、液側接続管（101）を通って配管（17）へ流出してゆく。以下、熱交換器（23）の各部における冷媒の流れについて詳しく説明する。
【０１００】
図５に示すように、ガス側接続管（102）から第１風上ヘッダ集合管（40）の上側空間（42）へ流入したガス単相状態の冷媒は、風上主列ブロック（52a〜52f）を構成する扁平管（31）へ分かれて流入する。風上主列ブロック（52a〜52f）の扁平管（31）を流れる冷媒は、熱交換器（23）へ供給された室外空気と熱交換する。
【０１０１】
図９(Ａ)および図９(Ｂ)に示すように、風上主列ブロック（52a〜52f）の各扁平管（31）と風下主列ブロック（92a〜92f）の各扁平管（61）とは、接続ユニット（100）の連通路を介して一本ずつ個別に接続されている。したがって、六つの風上主列ブロック（52a〜52f）を構成する七十二本の扁平管（31）を通過した冷媒は、接続ユニット（100）の七十二本の連通路を通過して、六つの風下主列ブロック（92a〜92f）を構成する七十二本の扁平管（61）へそれぞれ個別に流入する。
【０１０２】
図６に示すように、風下主列ブロック（92a〜92f）の扁平管（61）を流れる冷媒は、風上主熱交換領域（35）を通過した室外空気と熱交換する。各風下主列ブロック（92a〜92f）の十二本の扁平管（61）を通過した冷媒は、各風下主列ブロック（92a〜92f）に対応する第１風下ヘッダ集合管（70）の主連通空間（75a〜75f）へ入って合流する。
【０１０３】
第１主連通空間（75a）および第２主連通空間（75b）の冷媒は、第１接続用配管（110）を通って第１補助連通空間（77a）へ流入する。第３主連通空間（75c）および第４主連通空間（75d）の冷媒は、第２接続用配管（120）を通って第２補助連通空間（77b）へ流入する。第５主連通空間（75e）および第６主連通空間（75f）の冷媒は、第３接続用配管（130）を通って第３補助連通空間（77c）へ流入する。
【０１０４】
第１風下ヘッダ集合管（70）の各補助連通空間（77a〜77c）へ流入した冷媒は、各補助連通空間（77a〜77c）に対応する風下補助列ブロック（95a〜95c）の三本の扁平管（61）へ分かれて流入する。風下補助列ブロック（95a〜95c）の扁平管（61）を流れる冷媒は、風上補助熱交換領域（37）を通過した室外空気と熱交換する。
【０１０５】
図９(Ａ)および図９(Ｂ)に示すように、風上補助列ブロック（55a〜55c）の各扁平管（31）と風下補助列ブロック（95a〜95c）の各扁平管（61）とは、接続ユニット（100）の連通路を介して一本ずつ個別に接続されている。したがって、三つの風下補助列ブロック（95a〜95c）を構成する九本の扁平管（61）を通過した冷媒は、接続ユニット（100）の九本の連通路を通過して、三つの風上補助列ブロック（55a〜55c）を構成する九本の扁平管（31）へそれぞれ個別に流入する。
【０１０６】
図５に示すように、風上補助列ブロック（55a〜55c）の扁平管（31）を流れる冷媒は、熱交換器（23）へ供給された室外空気と熱交換する。各風上補助列ブロック（55a〜55c）の扁平管（31）を通過した冷媒は、各風上補助列ブロック（55a〜55c）に対応する連通室（151〜153）へ入って合流する。連通室（151〜153）の冷媒は、混合室（154）へ入って合流し、その後に液側接続管（101）を通って熱交換器（23）から流出してゆく。
【０１０７】
〈本実施形態と比較例との対比〉
なお、風上管列（50）を構成する扁平管（31）と風下管列（90）を構成する扁平管（61）とを接続するための構造として、接続ユニット（100）の代わりに、次のような構造（比較例）が考えられる。すなわち、風上管列（50）を構成するｎ本の扁平管（31）の端部と風下管列（90）を構成するｎ本の扁平管（61）の端部とを一本ずつ個別に接続するのではなく、一つのヘッダ内に形成された一つの空間に全ての扁平管（31,61）の端部を共通に連通させる構造が考えられる。しかしながら、この構造を採用すると、風上管列（50）および風下管列（90）の一方から他方へ冷媒が流れる際に、一方の管列（50,90）を構成する複数の扁平管（31,61）を通過した冷媒が一旦合流した後に、他方の管列（90,50）を構成する複数の扁平管（61,31）に分かれて流入することになる。そのため、他方の管列（90,50）を構成する複数の扁平管（61,31）へ流入する冷媒の質量流量が不均一となるおそれがある。
【０１０８】
一方、実施形態１による熱交換器（23）では、風上管列（50）を構成するｎ本の扁平管（31）と風下管列（90）を構成するｎ本の扁平管（61）とが接続ユニット（100）のｎ本の連通路を介して一本ずつ個別に接続されているので、風上管列（50）および風下管列（90）（具体的には、ｎ本の扁平管（31）およびｎ本の扁平管（61））の一方から他方へ冷媒が流れる際に、一方の管列（50,90）を構成する複数の扁平管（31,61）を通過した冷媒は、互いに合流することなく、他方の管列（90,50）を構成する複数の扁平管（61,31）にそれぞれ個別に流入する。
【０１０９】
〈実施形態１による効果〉
以上のように、実施形態１による熱交換器（23）では、風上管列（50）および風下管列（90）（具体的には、ｎ本の扁平管（31）およびｎ本の扁平管（61））の一方から他方へ冷媒が流れる際に、一方の管列（50,90）を構成する複数の扁平管（31,61）を流れる冷媒が一旦合流して他方の管列（61,31）を構成する複数の扁平管（61,31）に分かれて流入することはない。すなわち、風上管列（50）と風下管列（90）との間（具体的には、ｎ本の扁平管（31）とｎ本の扁平管（61）との間）において冷媒の合流および分流は発生しない。したがって、上記の比較例（一つの空間に全ての扁平管（31,61）の端部を共通に連通させる構造）のように熱交換器（23）を構成する場合よりも、熱交換器（23）における冷媒の流通経路において冷媒が複数の扁平管（31,61）に分配される回数を減らすことができる。これにより、各扁平管（31,61）を流れる冷媒の質量流量の均一化を容易にすることができる。
【０１１０】
また、第２風上ヘッダ集合管（45）によって風上管列（50）を構成するｎ本の扁平管（31）の端部とｎ本の連結管（105）の一端部とが支持され、第２風下ヘッダ集合管（80）によって風下管列（90）を構成するｎ本の扁平管（61）の端部とｎ本の連結管（105）の他端部とが支持されているので、風上管列（50）のｎ本の扁平管（31）の端部と風下管列（90）のｎ本の扁平管（61）の端部とをｎ本の接続部材によって一本ずつ個別に接続する場合よりも、接続ユニット（100）の構造強度（変形しにくさ）を向上させることができる。
【０１１１】
〔実施形態１の変形例〕
なお、図１０(Ａ)および図１０(Ｂ)に示すように、各連結管（105）は、その一端部がその連結管（105）に対応する扁平管（31）の側面に当接するように第２風上ヘッダ集合管（45）に挿入されていてもよいし、その他端部がその連結管（105）に対応する扁平管（61）の側面に当接するように第２風下ヘッダ集合管（80）に挿入されていてもよい。
【０１１２】
また、図１０(Ａ)および図１０(Ｂ)に示した接続ユニット（100）と風上管列（50）と風下管列（90）とを、次のように接続してもよい。すなわち、第２風上ヘッダ集合管（45）のｎ個の連結用空間（47）に風上管列（50）を構成するｎ本の扁平管（31）をそれぞれ挿入し、第２風下ヘッダ集合管（80）のｎ個の連結用空間（82）に風下管列（90）を構成するｎ本の扁平管（61）をそれぞれ挿入し、その後に、第２風上ヘッダ集合管（45）の連結用空間（47）に挿入された扁平管（31）の側面に連結管（105）の一端部が当接するまでｎ本の連結管（105）の一端部を第２風上ヘッダ集合管（45）のｎ個の連結用空間（47）にそれぞれ挿入し、第２風下ヘッダ集合管（80）の連結用空間（82）に挿入された扁平管（61）の側面に連結管（105）の他端部が当接するまでｎ本の連結管（105）の他端部を第２風下ヘッダ集合管（80）のｎ個の連結用空間（82）にそれぞれ挿入することによって、接続ユニット（100）と風上管列（50）と風下管列（90）と接続してもよい。このように接続することにより、扁平管（31,61）の側面を連結管（105）の位置決めに利用することができるので、熱交換器（23）の組立作業を容易にすることができる。
【０１１３】
〔実施形態２〕
図１１は、実施形態２による熱交換器（23）の構成例を示している。実施形態２による熱交換器（23）では、接続ユニット（100）は、ｎ本のＵ字管（200）によって構成されている。ｎ本のＵ字管（200）は、風上熱交換器ユニット（30）の風上管列（50）を構成するｎ本の扁平管（31）と風下熱交換器ユニット（60）の風下管列（90）を構成するｎ本の扁平管（61）とを一対一で接続する。この例では、ｎ本のＵ字管（200）は、風上熱交換器ユニット（30）および風下熱交換器ユニット（60）の端部（右端）において上下に並んで配置されている。そして、第ｋ段目（１≦ｋ≦ｎ）のＵ字管（200）は、風上管列（50）の第ｋ段目の扁平管（31）と風下管列（90）の第ｋ段目の扁平管（61）とを接続している。その他の構成は、実施形態１の熱交換器（23）の構成と同様である。
【０１１４】
〈Ｕ字管の構成〉
次に、図１２(Ａ)〜図１２(Ｃ)を参照して、Ｕ字管（200）の構成について説明する。なお、図１２(Ａ)では、扁平管（31,61）の断面の図示を省略している。
【０１１５】
Ｕ字管（200）は、その両端部（201,202）が扁平に形成されている。すなわち、Ｕ字管（200）は、両端部（201,202）と曲管部（203）とが一体に形成されている。また、Ｕ字管（200）の一端部（201）には、風上管列（50）を構成するｎ本の扁平管（31）のうちそのＵ字管（200）に対応する扁平管（31）の端部（この例では、右端）が挿入される。Ｕ字管（200）の他端部（202）には、風下管列（90）を構成するｎ本の扁平管（61）のうちそのＵ字管（200）に対応する扁平管（61）の端部（この例では、右端）が挿入される。すなわち、ｎ本のＵ字管（200）の内部空間によって、ｎ本の扁平管（31）の端部とｎ本の扁平管（61）の端部とを一対一で連通させるｎ本の連通路が構成されている。
【０１１６】
なお、この例では、Ｕ字管（200）は、円管をＵ字状に湾曲させて両端を扁平に加工することによって構成されている。また、Ｕ字管（200）の両端部（201,202）の断面形状は、扁平管（31,61）の断面形状に対応した扁平な長円形状となっており、Ｕ字管（200）の曲管部（203）の断面形状は、円形状となっている。
【０１１７】
また、この例では、Ｕ字管（200）の両端部（201,202）と曲管部（203）との間には、第１傾斜部（200a）および第２傾斜部（200b）が形成されている。第１傾斜部（200a）（第１位置決め部）は、一端部（201）と曲管部（203）との間に形成され、一端部（201）から曲管部（203）へ向かうに連れてその断面形状が扁平な長円形から円形へ変化している。具体的には、Ｕ字管（200）を上方から見た断面（平面視断面）において、第１傾斜部（200a）の開口幅は、一端部（201）から曲管部（203）へ向けて次第に狭くなっている（図１２(Ａ)を参照）。これと同様に、第２傾斜部（200b）（第２位置決め部）は、他端部（202）と曲管部（203）との間に形成され、他端部（202）から曲管部（203）へ向かうに連れてその断面形状が扁平な長円形から円形へ変化している。具体的には、Ｕ字管（200）を上方から見た断面（平面視断面）において、第２傾斜部（200b）の開口幅は、他端部（202）から曲管部（203）へ向けて次第に狭くなっている（図１２(Ａ)を参照）。
【０１１８】
また、Ｕ字管（200）の両端部（201,202）は、ロウ付けによって扁平管（31,61）の端部と接合されている。この例では、Ｕ字管（200）の両端部（201,202）の内周面には、ロウ材が張り合わされている。すなわち、Ｕ字管（200）は、金属からなる基材の表面に基材よりも融点の低い金属からなるロウ材が張り合わされたクラッド材で構成されている。そして、Ｕ字管（200）の両端部（201,202）に扁平管（31,61）の端部を挿入した状態で熱交換器（23）を炉に投入することにより、Ｕ字管（200）の両端部（201,202）に張り合わされたロウ材が溶け出し、その溶け出したロウ材によってＵ字管（200）の両端部（201,202）と扁平管（31,61）の端部とが接合される。
【０１１９】
〈実施形態２による効果〉
以上のように、風上管列（50）を構成するｎ本の扁平管（31）と風下管列（90）を構成するｎ本の扁平管（61）とをｎ本のＵ字管（200）によって一本ずつ個別に接続することにより、各扁平管（31,61）を流れる冷媒の質量流量の均一化を容易にすることができる。
【０１２０】
また、それぞれが風上管列（50）を構成する一つの扁平管（31）と風下管列（90）を構成する一つの扁平管（61）からなるｎ組の扁平管（31,61）の組合せに対してｎ本のＵ字管（200）が一本ずつ個別に接続されているので、ｎ本のＵ字管（200）のいずれかに接続不良が発生した場合、その接続不良が発生しているＵ字管（200）を交換することにより、接続不良を解消することができる。このように、接続ユニット（100）の保守を容易にすることができる。
【０１２１】
また、Ｕ字管（200）の両端部（201,202）と曲管部（203）とが一体に形成されている（すなわち、Ｕ字管（200）には繋ぎ目がない）ので、接続部材（すなわち、Ｕ字管（200））における冷媒漏れを防止することができる。
【０１２２】
また、Ｕ字管（200）の両端部（201,202）の断面形状を扁平管（31,61）の断面形状に対応した形状にすることにより、Ｕ字管（200）の両端部（201,202）と扁平管（31,61）との密着性を向上させることができる。これにより、Ｕ字管（200）と扁平管（31,61）との接合部における冷媒漏れを防止することができる。
【０１２３】
なお、図１１および図１２(Ａ)〜図１２(Ｃ)に示した接続ユニット（100）と風上管列（50）と風下管列（90）とを、次のように接続してもよい。すなわち、Ｕ字管（200）の第１傾斜部（200a）に扁平管（31）の端部が当接するまでｎ本のＵ字管（200）の一端部（201）に風上管列（50）を構成するｎ本の扁平管（31）の端部をそれぞれ挿入し、Ｕ字管（200）の第２傾斜部（200b）に扁平管（61）の端部が当接するまでｎ本のＵ字管（200）の他端部（202）に風下管列（90）を構成するｎ本の扁平管（61）の端部をそれぞれ挿入することによって、接続ユニット（100）と風上管列（50）と風下管列（90）と接続してもよい。このように、Ｕ字管（200）の傾斜部（200a,200b）を扁平管（31,61）の位置決めに利用することができるので、熱交換器（23）の組立作業を容易にすることができる。
【０１２４】
〔実施形態３〕
図１３は、実施形態３による熱交換器（23）の構成例を示している。実施形態３による熱交換器（23）では、接続ユニット（100）は、ｎ本の密閉管（300）によって構成されている。ｎ本の密閉管（300）は、風上熱交換器ユニット（30）の風上管列（50）を構成するｎ本の扁平管（31）と風下熱交換器ユニット（60）の風下管列（90）を構成するｎ本の扁平管（61）とを一対一で接続する。この例では、ｎ本の密閉管（300）は、風上熱交換器ユニット（30）および風下熱交換器ユニット（60）の端部（右端）において上下に並んで配置されている。そして、第ｋ段目（１≦ｋ≦ｎ）の密閉管（300）は、風上管列（50）の第ｋ段目の扁平管（31）と風下管列（90）の第ｋ段目の扁平管（61）とを接続している。その他の構成は、実施形態１の熱交換器（23）の構成と同様である。
【０１２５】
〈密閉管の構成〉
次に、図１４(Ａ)〜図１４(Ｃ)を参照して、密閉管（300）の構成について説明する。なお、図１４(Ａ)および図１４(Ｂ)では、扁平管（31,61）の断面の図示を省略している。
【０１２６】
密閉管（300）は、その両端部が閉塞された筒状に形成されている。密閉管（300）の周面には、第１スリット（301）および第２スリット（302）が形成されている。第１スリット（301）および第２スリット（302）は、所定の間隔を隔てて密閉管（300）の軸方向に並んでいる。また、密閉管（300）の第１スリット（301）には、風上管列（50）を構成するｎ本の扁平管（31）のうちその密閉管（300）に対応する扁平管（31）の端部（この例では、右端）が挿入される。密閉管（300）の第２スリット（302）には、風下管列（90）を構成するｎ本の扁平管（61）のうちその密閉管（300）に対応する扁平管（61）の端部（この例では、右端）が挿入される。すなわち、ｎ本の密閉管（300）の内部空間によって、ｎ本の扁平管（31）の端部とｎ本の扁平管（61）の端部とを一対一で連通させるｎ本の連通路が構成されている。
【０１２７】
なお、この例では、密閉管（300）は、円管の両端部をピンチ加工で閉塞することによって構成されている。第１スリット（301）および第２スリット（302）は、密閉管（300）の軸方向に並んで延びている。また、第１スリット（301）および第２スリット（302）の開口形状は、扁平管（31,61）の断面形状に対応した扁平な長円形状となっている。また、扁平管（31,61）は、その先端が密閉管（300）の内部空間に突き出すように密閉管（300）のスリット（301,302）に挿入されている。
【０１２８】
また、密閉管（300）のスリット（301,302）は、ロウ付けによって扁平管（31,61）の端部と接合されている。この例では、密閉管（300）の内周面には、ロウ材が張り合わされている。すなわち、密閉管（300）は、クラッド材で構成されている。そして、密閉管（300）のスリット（301,302）に扁平管（31,61）の端部を挿入した状態で熱交換器（23）を炉に投入することにより、密閉管（300）の内周面に張り合わされたロウ材が溶け出し、その溶け出したロウ材によって密閉管（300）のスリット（301,302）と扁平管（31,61）の端部とが接合される。
【０１２９】
〈実施形態３による効果〉
以上のように、風上管列（50）を構成するｎ本の扁平管（31）と風下管列（90）を構成するｎ本の扁平管（61）とｎ本の密閉管（300）によって一本ずつ個別に接続することにより、各扁平管（31,61）を流れる冷媒の質量流量の均一化を容易にすることができる。
【０１３０】
また、それぞれが風上管列（50）を構成する一つの扁平管（31）と風下管列（90）を構成する一つの扁平管（61）からなるｎ組の扁平管（31,61）の組合せに対してｎ本の密閉管（300）が一本ずつ個別に接続されているので、ｎ本の密閉管（300）のいずれかに接続不良が発生した場合、その接続不良が発生している密閉管（300）を交換することにより、接続不良を解消することができる。このように、接続ユニット（100）の保守を容易にすることができる。
【０１３１】
また、密閉管（300）には繋ぎ目がないので、接続部材（すなわち、密閉管（300））における冷媒漏れを防止することができる。
【０１３２】
また、密閉管（300）のスリット（301,302）の断面形状を扁平管（31,61）の断面形状に対応した形状にすることにより、密閉管（300）のスリット（301,302）と扁平管（31,61）との密着性を向上させることができる。これにより、密閉管（300）と扁平管（31,61）との接合部における冷媒漏れを防止することができる。
【０１３３】
また、密閉管（300）の内部空間に扁平管（31,61）の先端が突き出すように密閉管（300）のスリット（301,302）に扁平管（31,61）の端部を挿入することにより、扁平管（31,61）の端面を密閉管（300）の内周面から離すことができる。これにより、密閉管（300）の内周面に張り合わされたロウ材が溶け出た際に、その溶け出したロウ材が扁平管（31,61）の端面に開口する流体通路（175）に流れ込むことを防止することができる。
【０１３４】
〔実施形態３の変形例〕
なお、図１５(Ａ)〜図１５(Ｃ)に示すように、風上管列（50）を構成する扁平管（31）の平坦部（扁平管（31）の側面のうち平坦な部分）に、突起部（31a）（位置決め部）が形成されていてもよい。突起部（31a）は、扁平管（31）が密閉管（300）の内部空間の所定位置まで挿入されたときに密閉管（300）の外周面に当接するように、扁平管（31）の端面と所定の間隔をおいて配置されている。これと同様に、風下管列（90）を構成する扁平管（61）の平坦部に、突起部（61a）（位置決め部）が形成されていてもよい。突起部（61a）は、扁平管（21）が密閉管（300）の内部空間の所定位置まで挿入されたときに密閉管（300）の外周面に当接するように、扁平管（31）の端面と所定の間隔をおいて配置されている。
【０１３５】
また、図１５(Ａ)〜図１５(Ｃ)に示した扁平管（31,61）によって構成された風上管列（50）および風下管列（90）と密閉管（300）によって構成された接続ユニット（100）とを、次のように接続してもよい。すなわち、扁平管（31）の突起部（31a）が密閉管（300）の外周面に当接するまで風上管列（50）を構成するｎ本の扁平管（31）をｎ本の密閉管（300）の第１スリット（301）にそれぞれ挿入し、扁平管（61）の突起部（61a）が密閉管（300）の外周面に当接するまで風下管列（90）を構成するｎ本の扁平管（61）をｎ本の密閉管（300）の第２スリット（302）にそれぞれ挿入することによって、風上管列（50）と風下管列（90）と接続ユニット（100）とを接続してもよい。このように、扁平管（31,61）の突起部（31a,61a）を扁平管（31,61）の位置決めに利用することができるので、熱交換器（23）の組立作業を容易にすることができる。
【０１３６】
〔実施形態４〕
図１６は、実施形態４による熱交換器（23）の構成例を示している。実施形態４による熱交換器（23）では、接続ユニット（100）は、ｎ個の積層部材（400）によって構成されている。ｎ個の積層部材（400）は、風上熱交換器ユニット（30）の風上管列（50）を構成するｎ本の扁平管（31）と風下熱交換器ユニット（60）の風下管列（90）を構成するｎ本の扁平管（61）とを一対一で接続する。この例では、ｎ個の積層部材（400）は、風上熱交換器ユニット（30）および風下熱交換器ユニット（60）の端部（右端）において上下に並んで配置されている。そして、第ｋ段目（１≦ｋ≦ｎ）の積層部材（400）は、風上管列（50）の第ｋ段目の扁平管（31）と風下管列（90）の第ｋ段目の扁平管（61）とを接続している。その他の構成は、実施形態１の熱交換器（23）の構成と同様である。
【０１３７】
〈積層部材の構成〉
次に、図１７(Ａ)〜図１７(Ｃ)を参照して、積層部材（400）の構成について説明する。なお、図示の簡略化のため、図１７(Ｃ)では、積層部材（400）の側面に形成された二つの開口から見える積層部材（400）の境界（後述する２枚の板状部材（401）の境界）の図示を省略している。
【０１３８】
積層部材（400）は、互いに重ね合わされて接合された２枚の板状部材（401）によって構成されている。この例では、板状部材（401）は、矩形の平板状に形成されている。また、積層部材（400）には、連通路（402）が形成されている。連通路（402）は、積層部材（400）を構成する２枚の板状部材（401）の間においてＵ字状に延び、その両端が積層部材（400）の一側面（扁平管（31,61）と対向する面）に開口している。
【０１３９】
また、積層部材（400）に形成された連通路（402）の一端部（402a）には、風上管列（50）を構成するｎ本の扁平管（31）のうちその積層部材（400）に対応する扁平管（31）の端部（この例では、右端）が挿入される。積層部材（400）に形成された連通路（402）の他端部（402b）には、風下管列（90）を構成するｎ本の扁平管（61）のうちその積層部材（400）に対応する扁平管（61）の端部（この例では、右端）が挿入される。すなわち、ｎ個の積層部材（400）の連通路（402）によって、ｎ本の扁平管（31）の端部とｎ本の扁平管（61）の端部とを一対一で連通させるｎ本の連通路が構成されている。
【０１４０】
なお、この例では、積層部材（400）に形成された連通路（402）の両端部（402a,402b）の開口形状は、扁平管（31,61）の断面形状に対応した扁平な長円形状となっている。また、連通路（402）は、その両端部（402a,402b）の開口断面積がその中間部（402c）の開口断面積よりも狭くなっている。具体的には、積層部材（400）を上方から見た断面（平面視断面）において、連通路（402）の両端部（402a,402b）の開口幅は、連通路（402）の中間部（402c）の開口幅よりも広くなっている（図１７(Ａ)を参照）。さらに、連通路（402）の両端部（402a,402b）と中間部（402c）との間には、第１段差部（402d）および第２段差部（402e）が形成されている。第１段差部（402d）は、一端部（402a）の内側面の端部から内側に突出して中間部（402c）の内側面の端部に接続された段差面を有する。第２段差部（402e）は、他端部（402b）の内側面の端部から内側に突出して中間部（402c）の内側面の端部に接続された段差面を有する。
【０１４１】
また、この例では、各板状部材（401）の接合面には、連通路（402）を構成するための連通溝（403）が形成されている。連通溝（403）は、板状部材（401）の接合面においてＵ字状に形成され、その両端が板状部材（401）の一側面（扁平管（31,61）と対向する面）に開口している。例えば、連通溝（403）は、プレス加工によって板状部材（401）を変形させることによって形成されている。各板状部材（401）に形成された連通溝（403）が重なるように２枚の板状部材（401）の接合面を重ね合わせることにより、連通路（402）が構成されている。
【０１４２】
また、この例では、積層部材（400）を構成する２枚の板状部材（401）の各々には、複数（この例では、五つ）の係合部（404）が形成されている。各板状部材（401）の係合部（404）は、各板状部材（401）の連通溝（403）が重なるように各板状部材（401）の接合面を重ね合わせたときに一方の板状部材（401）の係合部（404）が他方の板状部材（401）の係合部（404）と係合するように、配置されている。例えば、一方の板状部材（401）の係合部（404）は、接合面から突出する凸状に形成され、他方の板状部材（401）の係合部（404）は、一方の板状部材（401）の係合部（404）と嵌合可能な凹状に形成されている。
【０１４３】
また、積層部材（400）を構成する２枚の板状部材（401）は、互いにロウ付けによって接合され、積層部材（400）の連通路（402）の両端部は、扁平管（31,61）とロウ付けによって接合されている。この例では、各板状部材（401）の接合面のうち連通溝（403）が形成されていない領域と連通溝（403）の両端部には、ロウ材が張り合わされている。すなわち、各板状部材（401）は、クラッド材で構成されている。そして、一方の板状部材（401）の係合部（404）と他方の板状部材（401）の係合部（404）とが互いに係合するように２枚の板状部材（401）を重ね合わせて積層部材（400）を構成し、積層部材（400）の連通路（402）の両端部に扁平管（31,61）の端部を挿入した状態で熱交換器（23）を炉に投入する。これにより、各板状部材（401）の接合面に張り合わされたロウ材が溶け出して、その溶け出したロウ材によって積層部材（400）を構成する２枚の板状部材（401）が互いに接合される。また、各板状部材（401）の連通溝（403）の両端部に張り合わされたロウ材が溶け出し、その溶け出したロウ材によって積層部材（400）の連通路（402）の両端部と扁平管（31,61）の端部とが接合される。
【０１４４】
〈実施形態４による効果〉
以上のように、風上管列（50）を構成するｎ本の扁平管（31）と風下管列（90）を構成するｎ本の扁平管（61）とｎ個の積層部材（400）によって一本ずつ個別に接続することにより、各扁平管（31,61）を流れる冷媒の質量流量の均一化を容易にすることができる。
【０１４５】
また、それぞれが風上管列（50）を構成する一つの扁平管（31）と風下管列（90）を構成する一つの扁平管（61）からなるｎ組の扁平管（31,61）の組合せに対してｎ個の積層部材（400）が一つずつ個別に接続されているので、ｎ個の積層部材（400）のいずれかに接続不良が発生した場合、その接続不良が発生している積層部材（400）を交換することにより、接続不良を解消することができる。このように、接続ユニット（100）の保守を容易にすることができる。
【０１４６】
また、積層部材（400）に形成された連通路（402）の両端部の開口形状を扁平管（31,61）の断面形状に対応した形状にすることにより、連通路（402）の両端部の開口形状と扁平管（31,61）との密着性を向上させることができる。これにより、積層部材（400）と扁平管（31,61）との接合部における冷媒漏れを防止することができる。
【０１４７】
また、積層部材（400）を構成する各板状部材（401）に係合部（404）を形成することにより、板状部材（401）の重ね合わせ（すなわち、位置決め）を容易にすることができる。これにより、２枚の板状部材（401）の間に連通路（402）が形成されるように２枚の板状部材（401）を重ね合わせて積層部材（400）を構成することを容易にすることができる。
【０１４８】
なお、図１７(Ａ)〜図１７(Ｃ)に示した積層部材（400）によって構成された接続ユニット（100）と風上管列（50）と風下管列（90）とを、次のように接続してもよい。すなわち、扁平管（31）の端部が連通路（402）の第１段差部（402d）に当接するまで風上管列（50）を構成するｎ本の扁平管（31）の端部をｎ個の積層部材（400）の連通路（402）の一端部（402a）にそれぞれ挿入し、扁平管（61）の端部が連通路（402）の第２段差部（402e）に当接するまで風下管列（90）を構成するｎ本の扁平管（61）の端部をｎ個の積層部材（400）の連通路（402）の他端部（402b）にそれぞれ挿入することによって、接続ユニット（100）と風上管列（50）と風下管列（90）とを接続してもよい。このように、積層部材（400）の連通路（402）に形成された段差部（403d,402e）を扁平管（31,61）の位置決めに利用することができるので、熱交換器（23）の組立作業を容易にすることができる。
【０１４９】
〔その他の実施形態〕
図１８に示すように、上記の各実施形態による熱交換器（23）は、風上管列（50）を構成する扁平管（31）と風下管列（90）を構成する扁平管（61）の両方が一枚のフィン（180）に接合されていてもよい。つまり、本変形例の熱交換器（23）では、扁平管（31,61）の軸方向に一定の間隔をおいて配列された各フィン（180）の管挿入部（187）に、風上管列（50）を構成する扁平管（31）と風下管列（90）を構成する扁平管（61）の両方が配置される。
【０１５０】
また、上記の各実施形態による熱交換器（23）には、板状のフィン（32,62,180）に代えて波形のフィンが設けられていてもよい。このフィンは、いわゆるコルゲートフィンであって、上下に蛇行する波形に形成されている。そして、この波形のフィンは、上下に隣り合った扁平管（31,61,170）の間に一つずつ配置される。
【０１５１】
なお、以上の各実施形態では、風上管列（50）を構成する全ての扁平管（31）と風下管列（90）を構成する全ての扁平管（61）とが一対一で接続されている場合（ｎが、風上管列（50）を構成する全ての扁平管（31）の本数に相当する場合）を例に挙げて説明したが、風上管列（50）を構成する全ての扁平管（31）と風下管列（90）を構成する全ての扁平管（61）とが一対一で接続されていなくてもよい。例えば、接続ユニット（100）によって一対一で接続される扁平管（31,61）の数（すなわち、ｎ）は、風上管列（50）を構成する全ての扁平管（31）の本数（または、風下管列（90）を構成する全ての扁平管（61）の本数）よりも少なくてもよい。この場合、接続ユニット（100）によって接続されていない扁平管（31,61）を別の接続構造（例えば、ヘッダなど）によって接続してもよい。
【０１５２】
また、以上の各実施形態では、熱交換器（23）を室外熱交換器として利用する場合を例に挙げて説明したが、熱交換器（23）を室内熱交換器（25）として利用してもよい。
【産業上の利用可能性】
【０１５３】
以上説明したように、上述の熱交換器は、空気調和機の冷媒回路に設けられる熱交換器などとして有用である。
【符号の説明】
【０１５４】
１０        空気調和機
２３        熱交換器
３０        風上熱交換器ユニット
３１        扁平管
３２        フィン
４０        第１風上ヘッダ集合管
４５        第２風上ヘッダ集合管
４７        連結用空間（第１の連結用空間）
５０        風上管列
６０        風下熱交換器ユニット
６１        扁平管
６２        フィン
７０        第１風下ヘッダ集合管
８０        第２風下ヘッダ集合管
８２        連結用空間（第２の連結用空間）
９０        風下管列
１００      接続ユニット
１０５      連結管
２００      Ｕ字管
３００      密閉管
３０１      第１スリット
３０２      第２スリット
４００      積層部材
４０１      板状部材
４０２      連通路
【図１】
2015055413.tif 000003
【図２】
2015055413.tif 000004
【図３】
2015055413.tif 000005
【図４】
2015055413.tif 000006
【図５】
2015055413.tif 000007
【図６】
2015055413.tif 000008
【図７】
2015055413.tif 000009
【図８】
2015055413.tif 000010
【図９】
2015055413.tif 000011
【図１０】
2015055413.tif 000012
【図１１】
2015055413.tif 000013
【図１２】
2015055413.tif 000014
【図１３】
2015055413.tif 000015
【図１４】
2015055413.tif 000016
【図１５】
2015055413.tif 000017
【図１６】
2015055413.tif 000018
【図１７】
2015055413.tif 000019
【図１８】
2015055413.tif 000020